【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】  
所定パターンを有する第１領域及び無地の透明な第２領域を有する転写層を備えた中間転写媒体を供給する供給手段と、
前記供給手段により供給された中間転写媒体の転写層上に所定情報を印刷する印刷手段と、
前記印刷手段により印刷された所定情報を転写層を介して被転写媒体に転写する転写手段と、
被転写媒体全体を前記第１領域で覆う第１モード、及び、被転写媒体を前記第１領域及び前記第２領域で覆う第２モードにおいて、前記印刷手段及び前記転写手段を制御する制御手段と、
を備えたことを特徴とする印刷装置。
【請求項２】  
所定パターンを有する第１領域及び無地の透明な第２領域を有する転写層を備えた中間転写媒体を供給する供給手段と、
前記供給手段により供給された中間転写媒体の転写層上に所定情報を印刷する印刷手段と、
被転写媒体全体を前記第１領域で覆う第１モードでは、前記第１領域のみに所定情報を印刷させ、被転写媒体を前記第１領域及び前記第２領域で覆う第２モードでは、前記第１領域及び前記第２領域それぞれに対応する所定情報を印刷させるよう前記印刷手段を制御する制御手段と、
を備えたことを特徴とする印刷装置。
【請求項３】  
所定パターンを有する第１領域及び無地の透明な第２領域を有する転写層を備えた中間転写媒体を供給する供給手段と、
前記供給手段により供給された中間転写媒体の転写層を転写層上の印刷情報とともに被転写媒体に転写する転写手段と、
被転写媒体全体を前記第１領域で覆う第１モードでは、前記第１領域のみを転写させ、被転写媒体を前記第１領域及び前記第２領域で覆う第２モードでは、前記第１領域及び前記第２領域それぞれを対応する領域に転写させるよう前記転写手段を制御する制御手段と、
を備えたことを特徴とする印刷装置。
【請求項４】  
所定パターンを有する第１領域、無地の透明な第２領域、マージンに相当する第３領域、及び、前記第１乃至第３領域を有して構成される単位パターンを規定するマークを有する転写層を備えた中間転写媒体を供給する供給手段と、
前記供給手段により供給された中間転写媒体の転写層上に所定情報を印刷する印刷手段と、
前記印刷手段により印刷された所定情報を転写層とともに被転写媒体に転写する転写手段と、
前記マークを検知する検知手段と、
前記検知手段により検知された前記マークの位置に基づいて、被転写媒体全体を前記第１領域で覆う第１モード、及び、被転写媒体を前記第１領域及び前記第２領域で覆う第２モードにおいて、前記供給手段による中間転写媒体の供給量を制御する制御手段と、
を備えたことを特徴とする印刷装置。
【請求項５】  
所定パターンを有する第１領域、無地の透明な第２領域、マージンに相当する第３領域、及び、前記第１乃至第３領域を有して構成される単位パターンを規定するマークを有する転写層を備えた中間転写媒体を供給する供給手段と、
前記供給手段により供給された中間転写媒体の転写層上に印刷開始位置から所定情報を印刷する印刷手段と、
前記マークを検知する検知手段と、
前記検知手段により検知された前記マークの位置に基づいて、被転写媒体全体を前記第１領域で覆う第１モード、及び、被転写媒体を前記第１領域及び前記第２領域で覆う第２モードにおいて、前記印刷開始位置までの前記供給手段による中間転写媒体の供給量を制御する制御手段と、
を備えたことを特徴とする印刷装置。
【請求項６】  
所定パターンを有する第１領域、無地の透明な第２領域、マージンに相当する第３領域、及び、前記第１乃至第３領域を有して構成される単位パターンを規定するマークを有する転写層を備えた中間転写媒体を供給する供給手段と、
前記供給手段により供給された中間転写媒体の転写層を転写層上の印刷情報とともに転写位置で被転写媒体に転写する転写手段と、
前記マークを検知する検知手段と、
前記検知手段により検知された前記マークの位置に基づいて、被転写媒体全体を前記第１領域で覆う第１モード、及び、被転写媒体を前記第１領域及び前記第２領域で覆う第２モードにおいて、前記転写位置までの前記供給手段による中間転写媒体の供給量を制御する制御手段と、
を備えたことを特徴とする印刷装置。
【請求項７】  
所定パターンを有する第１領域及び無地の透明な第２領域を有する転写層を備えた中間転写媒体を供給し、
供給された中間転写媒体の転写層上に、被転写媒体全体を前記第１領域で覆う第１モード、及び、被転写媒体を前記第１領域及び前記第２領域で覆う第２モードのそれぞれにおいて対応する所定位置に所定情報を印刷し、
前記第１モード及び前記第２モードのそれぞれにおいて対応する所定領域に、印刷された所定情報を転写層とともに被転写媒体に転写する、
ことを特徴とする印刷方法。
【請求項８】  
所定パターンを有する第１領域及び無地の透明な第２領域を有する転写層を備えた中間転写媒体を供給し、
被転写媒体全体を前記第１領域で覆う第１モードでは、供給された中間転写媒体の前記第１領域上のみに所定情報を印刷し、
被転写媒体を前記第１領域及び前記第２領域で覆う第２モードでは、供給された中間転写媒体の前記第１領域上及び前記第２領域上それぞれに対応する所定情報を印刷する、
ことを特徴とする印刷方法。
【請求項９】  
所定パターンを有する第１領域及び無地の透明な第２領域を有する転写層を備えた中間転写媒体を供給し、
被転写媒体全体を前記第１領域で覆う第１モードでは、供給された中間転写媒体の前記第１領域を前記第１領域上の印刷情報とともに被転写媒体に転写し、
被転写媒体を前記第１領域及び前記第２領域で覆う第２モードでは、供給された中間転写媒体の前記第１領域及び前記第２領域をそれぞれの上の印刷情報とともに被転写媒体に転写する、
ことを特徴とする印刷方法。
【請求項１０】  
所定パターンを有する第１領域、無地の透明な第２領域、マージンに相当する第３領域、及び、前記第１乃至第３領域を有して構成される単位パターンを規定するマークを有する転写層を備えた中間転写媒体を供給し、
前記マークを検知し、
検知された前記マークの位置に基づいて、被転写媒体全体を前記第１領域で覆う第１モード、及び、被転写媒体を前記第１領域及び前記第２領域で覆う第２モードにおいて、中間転写媒体の供給量を制御し、
供給された中間転写媒体の転写層上に所定情報を印刷し、
印刷された所定情報を転写層とともに被転写媒体に転写する、
ことを特徴とする印刷方法。
【請求項１１】  
所定パターンを有する第１領域、無地の透明な第２領域、マージンに相当する第３領域、及び、前記第１乃至第３領域を有して構成される単位パターンを規定するマークを有する転写層を備えた中間転写媒体を供給し、
前記マークを検知し、
検知された前記マークの位置に基づいて、被転写媒体全体を前記第１領域で覆う第１モード、及び、被転写媒体を前記第１領域及び前記第２領域で覆う第２モードにおいて、印刷開始位置までの中間転写媒体の供給量を制御し、
供給された中間転写媒体の転写層上に前記印刷開始位置から所定情報を印刷する、
ことを特徴とする印刷方法。
【請求項１２】  
所定パターンを有する第１領域、無地の透明な第２領域、マージンに相当する第３領域、及び、前記第１乃至第３領域を有して構成される単位パターンを規定するマークを有する転写層を備えた中間転写媒体を供給し、
前記マークを検知し、
検知された前記マークの位置に基づいて、被転写媒体全体を前記第１領域で覆う第１モード、及び、被転写媒体を前記第１領域及び前記第２領域で覆う第２モードにおいて、転写位置までの中間転写媒体の供給量を制御し、
供給された中間転写媒体の転写層を転写層上の印刷情報とともに転写位置で被転写媒体に転写する、
ことを特徴とする印刷方法。